(57)【特許請求の範囲】
【請求項１】
複数のインクジェットヘッドの各々にインクを分配して供給するための流路構造であって、
共通流路の上下方向の略中央部に、前記複数のインクジェットヘッドの各々にインクを供給するための複数の分岐流路が連通され、
前記共通流路における前記複数の分岐流路の全てよりも一端側、且つ、前記複数の分岐流路よりも下側に、当該共通流路にインクを流入するインク流入路が連通され、
前記共通流路における前記複数の分岐流路の全てよりも他端側、且つ、前記複数の分岐流路よりも上側に、当該共通流路内のインクを流出するインク流出路が連通されてなり、
前記共通流路を形成する共通流路形成部材の延在方向の両端部のうち、少なくとも一方の端部が開放自在に構成されていることを特徴とする流路構造。
【請求項２】
前記共通流路の延在方向に直交する断面は、略円形であることを特徴とする請求項１に記載の流路構造。
【請求項３】
前記複数の分岐流路は、前記共通流路の延在方向に沿って並設されてなることを特徴とする請求項１又は２に記載の流路構造。
【請求項４】
前記複数の分岐流路は、前記共通流路の上下方向の略中央部、且つ、当該共通流路の延在方向に直交する方向の一側に並設されてなることを特徴とする請求項３に記載の流路構造。
【請求項５】
前記共通流路形成部材の開放自在な端部は、前記共通流路の開口に対応する位置に透明部材が設けられていることを特徴とする請求項１〜４の何れか一項に記載の流路構造。
【請求項６】
請求項１〜５の何れか一項に記載の流路構造を具備することを特徴とするインクジェット記録装置。
【発明の詳細な説明】
【技術分野】
【０００１】
本発明は、流路構造及びインクジェット記録装置に関する。
【背景技術】
【０００２】
従来、複数のインクジェットヘッドが配設されたラインヘッドを用いて記録媒体に画像を形成するインクジェット記録装置が知られている。
このインクジェット記録装置として、複数のインクジェットヘッドと複数の分岐流路を介して並列的に連通され、各インクジェットヘッドにインクを分配して供給するための共通流路を具備するものが知られている（例えば、特許文献１、２参照）。
【先行技術文献】
【特許文献】
【０００３】
【特許文献１】特開２０１０−１２６３７号公報
【特許文献２】特開２０１１−５６６８９号公報
【発明の概要】
【発明が解決しようとする課題】
【０００４】
ところで、共通流路にインクを導入する際に当該共通流路内に空気が残存してしまう虞がある。また、インクジェット記録装置が長期間停止して共通流路内でインクの流動が行われないと、インクの固形分が沈殿した状態となる。そして、共通流路内に存する気泡や沈殿物等が分岐流路を介してインクジェットヘッドに進入すると、ノズルからのインクの吐出動作の安定性が損なわれるといった問題がある。
【０００５】
そこで、上記特許文献１の場合、共通流路部材の内部の天井壁を傾斜させたり、共通流路と連通されたインク排出流路側に凹部を形成することで、気泡をインク排出流路側に集め易くしてインクとともに排出するようになっている。しかしながら、インク排出管が共通流路部材の下部に設けられており、気泡の浮力のために適正に排出することができない虞がある。
また、引用文献２の場合、共通流路のインク流入部が設けられた一端部と同じ側に気泡排出口が設けられているため、共通流路内でのインクの流動性が低減して沈殿物が生じ易くなるといった問題がある。さらに、インクジェットヘッドと連通された分岐流路が共通流路部材の下部に設けられており、沈殿物が分岐流路を介してインクジェットヘッドに進入し易いといった問題もある。
【０００６】
本発明は、上記事情に鑑みてなされたもので、共通流路内でのインクの流動性を向上させて、気泡や沈殿物がインクジェットヘッドに進入し難くすることができる流路構造及びインクジェット記録装置の提供を課題とする。
【課題を解決するための手段】
【０００７】
以上の課題を解決するために、請求項１に記載の発明の流路構造は、
複数のインクジェットヘッドの各々にインクを分配して供給するための流路構造であって、
共通流路の上下方向の略中央部に、前記複数のインクジェットヘッドの各々にインクを供給するための複数の分岐流路が連通され、
前記共通流路における前記複数の分岐流路の全てよりも一端側、且つ、前記複数の分岐流路よりも下側に、当該共通流路にインクを流入するインク流入路が連通され、
前記共通流路における前記複数の分岐流路の全てよりも他端側、且つ、前記複数の分岐流路よりも上側に、当該共通流路内のインクを流出するインク流出路が連通されてなり、
前記共通流路を形成する共通流路形成部材の延在方向の両端部のうち、少なくとも一方の端部が開放自在に構成されていることを特徴としている。
【０００８】
請求項２に記載の発明は、請求項１に記載の流路構造において、
前記共通流路の延在方向に直交する断面は、略円形であることを特徴としている。
【０００９】
請求項３に記載の発明は、請求項１又は２に記載の流路構造において、
前記複数の分岐流路は、前記共通流路の延在方向に沿って並設されてなることを特徴としている。
【００１０】
請求項４に記載の発明は、請求項３に記載の流路構造において、
前記複数の分岐流路は、前記共通流路の上下方向の略中央部、且つ、当該共通流路の延在方向に直交する方向の一側に並設されてなることを特徴としている。
【００１２】
請求項５に記載の発明は、請求項１〜４の何れか一項に記載の流路構造において、
前記共通流路形成部材の開放自在な端部は、前記共通流路の開口に対応する位置に透明部材が設けられていることを特徴としている。
【００１３】
請求項６に記載の発明のインクジェット記録装置は、
請求項１〜５の何れか一項に記載の流路構造を具備することを特徴としている。
【発明の効果】
【００１４】
本発明によれば、共通流路内でのインクの流動性を向上させて、気泡や沈殿物がインクジェットヘッドに進入し難くすることができる。
【図面の簡単な説明】
【００１５】
【図１】本発明を適用した一実施形態のインクジェット記録装置の概略構成を示す斜視図である。
【図２】図１のインクジェット記録装置を構成するラインヘッドのヘッドユニットを示す斜視図である。
【図３】図２のヘッドユニットのIII−III線に沿った面を模式的に示す図である。
【図４】図２のヘッドユニットの共通流路形成部材を示す斜視図である。
【図５】図４の共通流路形成部材の断面を模式的に示す図である。
【発明を実施するための形態】
【００１６】
以下、本発明の実施形態について図面を参照して説明する。
図１は、本発明を適用した一実施形態のインクジェット記録装置１００の概略構成を示す斜視図である。
なお、図１にあっては、インクジェット記録装置１００を構成するラインヘッド２０を模式的に表している。
【００１７】
図１に示すように、インクジェット記録装置１００は、記録媒体（図示略）を所定の一方向に向かって搬送する搬送装置１０と、搬送される記録媒体に上方からインクを吐出して画像形成を行う複数のインクジェットヘッド２１ｂ、…（図２等参照）を搭載する複数（例えば、８）のラインヘッド２０、…と、メンテナンス等の作業の際にヒトが載るための複数の架台３０、…と、これらを支持する支持台４０とを主として備えている。
以下の説明では、記録媒体の搬送方向を前後方向（副走査方向）とし、当該前後方向に直交する一の方向を左右方向（主走査方向）とし、前後方向及び左右方向に直交する方向を上下方向とする。
【００１８】
搬送装置１０は、駆動ローラー１１及び従動ローラー（図示略）と、これら駆動ローラー１１及び従動ローラーの間に架け渡された無端状の搬送ベルト１２を備えている。
駆動ローラー１１及び従動ローラーは、記録媒体の搬送方向に略直交する左右方向に延在するように配置されている。そして、例えば、駆動ローラー１１に取り付けられた搬送モーター（図示略）により駆動ローラー１１を回転駆動させることで、搬送ベルト１２が駆動ローラー１１と従動ローラーとの間を周回してその上面に載置された記録媒体を搬送し、その一方で、駆動ローラー１１の回転駆動を停止させることで、搬送ベルト１２が停止して記録媒体の搬送を停止する。
なお、記録媒体としては、例えば、紙や布帛のほか、樹脂フィルムや金属類等を用いることが可能である。
【００１９】
支持台４０は、例えば、前後方向に沿って延在する支持フレーム４１を備えている。
支持フレーム４１は、搬送ベルト１２を左右方向に挟むように二本設けられ、各支持フレーム４１の両端部に回転自在に設けられた駆動ローラー１１及び従動ローラーを介して搬送ベルト１２を支持している。
また、二本の支持フレーム４１、４１は、搬送ベルト１２を跨ぐように複数のラインヘッド２０、…及び複数の架台３０、…を支持している。
【００２０】
複数のラインヘッド２０、…及び複数の架台３０、…は、前後方向に沿って互い違いとなるように隣り合って配置されている。すなわち、複数の架台３０、…は、各ラインヘッド２０をその長手方向に略直交する前後方向に挟むようにそれぞれ設けられている。
これにより、各ラインヘッド２０において、搬送方向下流側（前側）に配設されている各部のメンテナンス、例えば、インクジェットヘッド２１ｂの交換、供給用配管２１ｆや排出用配管２１ｇ（図２等参照）の繋ぎ替え等の作業を、作業員が当該ラインヘッド２０に対して搬送方向下流側に配置されている架台３０に載って行うことができる。
同様に、各ラインヘッド２０において、搬送方向上流側（後側）に配設されている各部のメンテナンスの作業を、作業員が当該ラインヘッド２０に対して搬送方向上流側に配置されている架台３０に載って行うことができる。
【００２１】
また、複数のラインヘッド２０、…の各々は、複数のインクジェットヘッド２１ｂ、…が搭載された左右方向に長尺なヘッドユニット２１と、このヘッドユニット２１を昇降自在に支持する一対の昇降機構２２、２２とを備えている。
また、複数のラインヘッド２０、…は、例えば、Ｙ（イエロー），Ｌｍ（ライトマゼンタ），Ｏｒ（オレンジ），Ｍ（マゼンタ），Ｂｋ（ブラック），Ｂｌ（ブルー），Ｃ（シアン），Ｌｃ（ライトシアン）等の八色のカラーに応じて設けられている。また、これらのラインヘッド２０、…は、例えば、搬送方向上流側からＹ，Ｌｍ，Ｏｒ，Ｍ，Ｂｋ，Ｂｌ，Ｃ，Ｌｃの順に並んでいる。
なお、上記した複数のラインヘッド２０、…のカラー、並び順、個数等は、一例であってこれらに限られるものではなく、適宜任意に変更可能である。
【００２２】
昇降機構２２は、ヘッドユニット２１を上下方向に移動させることにより、搬送ベルト１２上の記録媒体とインクジェットヘッド２１ｂのノズルとの距離を任意に調節可能となっている。これにより、厚さの異なる種々の記録媒体に対応して、インクジェットヘッド２１ｂのノズルを画像形成に適した高さに調節することができる。
なお、インクジェット記録装置１００が、インクジェットヘッド２１ｂに対してインクの強制吸い出し、インク排出、ノズル面の拭き取り、キャッピング、保湿処理等を行うメンテナンス装置を備える場合には、昇降機構２２によりヘッドユニット２１をメンテナンス装置に対応する高さに調節することもできる。
【００２３】
次に、ヘッドユニット２１について、図２及び図３を参照して詳細に説明する。
図２は、一のラインヘッド２０を構成するヘッドユニット２１を斜め前方から視て示す斜視図である。また、図３は、ヘッドユニット２１のIII−III線に沿った面を模式的に示す図である。
【００２４】
図２及び図３に示すように、ヘッドユニット２１は、昇降機構２２と連結された櫓状のフレーム部２１ａを備え、このフレーム部２１ａに、複数（例えば、３０）のインクジェットヘッド２１ｂ、…、これら複数のインクジェットヘッド２１ｂ、…を支持する支持部材２１ｃ、複数のインクジェットヘッド２１ｂ、…を駆動させる複数（例えば、８）の回路基板２１ｄ、…、複数のインクジェットヘッド２１ｂ、…にインクを分配して供給する共通流路Ｐｃ（図５（ａ）等参照）を形成する共通流路形成部材２１ｅ、インクジェットヘッド２１ｂへインクを供給するための供給用配管２１ｆ、インクジェットヘッド２１ｂからインクを排出するための排出用配管２１ｇ等が搭載されている。
【００２５】
フレーム部２１ａは、両端部がそれぞれ対応する昇降機構２２と連結された二本の第一梁部材ａ１、ａ１と、これら第一梁部材ａ１、ａ１の下端部に連結された四本の柱部材ａ２、…と、これら柱部材ａ２、…の下端部に連結されるとともに、支持部材２１ｃと連結された二つの起立壁部材ａ４、ａ４とを主として備えている。
また、フレーム部２１ａは、例えば、アルミ製の部材であるが、一例であってこれに限られるものではなく、当該フレーム部２１ａの素材は適宜任意に変更可能である。
【００２６】
二本の第一梁部材ａ１、ａ１は、当該フレーム部２１ａの最も上側に配設されている。また、二本の第一梁部材ａ１、ａ１は、それぞれ左右方向に沿って延在する長尺な部材であり、前後方向に所定間隔を空けて配設されている。
また、二本の第一梁部材ａ１、ａ１のうち、前後方向の何れか一方の側（例えば、前側）の第一梁部材ａ１には、その長手方向に沿うように共通流路形成部材２１ｅが取付けられている。すなわち、共通流路形成部材２１ｅは、支持部材２１ｃにより支持されるインクジェットヘッド２１ｂよりも上方に設けられている。
【００２７】
ここで、共通流路形成部材２１ｅの流路構造について、図４及び図５を参照して詳細に説明する。
図４は、共通流路形成部材２１ｅを示す斜視図である。また、図５（ａ）は、共通流路形成部材２１ｅのＡ−Ａ線に沿った面を模式的に示す図であり、図５（ｂ）は、共通流路形成部材２１ｅのＢ−Ｂ線に沿った面を模式的に示す図である。
なお、図５（ａ）及び図５（ｂ）にあっては、共通流路形成部材２１ｅの構造を模式的に示している。また、インクの主となる流れ方向を矢印で模式的に示している。
【００２８】
共通流路形成部材２１ｅは、複数のインクジェットヘッド２１ｂ、…の各々にインクを分配して供給する共通流路Ｐｃ（図５（ａ）等参照）を形成している。
具体的には、図４及び図５に示すように、共通流路形成部材２１ｅは、主として左右方向に延在する筒状の部材であり、共通流路Ｐｃの延在方向に直交する断面（共通流路形成部材２１ｅの内形）が略円形状をなしている。
なお、共通流路Ｐｃの延在方向に直交する断面の形状が略円形であるとは、後述する圧力損失の低減の効果がみられる範囲の形状を指し、好ましくは円形度が０．９以上１．１以下であり、より好ましくは円形度が１．０の真円である。
【００２９】
また、共通流路形成部材２１ｅの共通流路Ｐｃの上下方向の略中央部であって、当該共通流路形成部材２１ｅの延在方向に直交する方向の一側（例えば、後側）には、複数のインクジェットヘッド２１ｂの各々にインクを供給するための複数の分岐流路Ｐ１、…（図５（ａ）等参照）が設けられている。これら複数の分岐流路Ｐ１、…を形成する複数の分岐流路形成部ｅ１、…は、当該共通流路形成部材２１ｅの延在方向に沿って並設されている。
また、複数の分岐流路形成部ｅ１の各々は、流路を遮断する状態と連通する状態とに切り換える電磁弁２１ｈ（図３参照）を介して供給用配管２１ｆと連接されており、共通流路形成部材２１ｅの共通流路Ｐｃ内のインクは、電磁弁２１ｈにより流路を連通させた状態で、複数の分岐流路形成部ｅ１、…及び対応する供給用配管２１ｆを介してインクジェットヘッド２１ｂ側に供給される。
このとき、共通流路Ｐｃ内に存する気泡は、その浮力により当該共通流路Ｐｃの上面側に集まった状態となる。また、共通流路Ｐｃ内でインクの流動が行われずに沈殿が生じても当該共通流路Ｐｃの下面に堆積した状態となる。複数の分岐流路Ｐ１、…は、共通流路形成部材２１ｅの共通流路Ｐｃの上下方向の略中央部に設けられているので、分岐流路Ｐ１内に気泡や沈殿が進入し難くなっている。
なお、共通流路Ｐｃの上下方向の略中央部とは、分岐流路Ｐ１内への気泡や沈殿の進入の低減の効果がみられる範囲の位置を指し、好ましくは共通流路Ｐｃの上下方向の長さをＬとしたとき中央部を挟んで±０．３Ｌの範囲である。
また、共通流路Ｐｃの上下方向の中央部と分岐流路Ｐ１の上下方向の中央部とを一致させることが好ましい。
【００３０】
また、共通流路形成部材２１ｅの左右方向の一端部（例えば、左端部）には、当該共通流路Ｐｃにインクを流入するインク流入路Ｐ２（図６（ａ）等参照）を形成する流入路形成部ｅ２が配設されている。この流入路形成部ｅ２は、複数の分岐流路形成部ｅ１、…の全てよりも一端側（例えば、左側）であって、これら複数の分岐流路形成部ｅ１、…よりも下側に配設されている。
また、共通流路形成部材２１ｅの左右方向の他端部（例えば、右端部）には、当該共通流路Ｐｃ内のインクを流出するインク流出路Ｐ３（図６（ａ）等参照）を形成する流出路形成部ｅ３が配設されている（図６参照）。この流出路形成部ｅ３は、複数の分岐流路形成部ｅ１、…の全てよりも他端側（例えば、右側）であって、これら複数の分岐流路形成部ｅ１、…よりも上側に配設されている。
これにより、共通流路Ｐｃの上面側に集まる気泡は、当該共通流路Ｐｃの上側に連通されているインク流出路Ｐ３から排出され易くなっている。
【００３１】
また、共通流路形成部材２１ｅは、その延在方向の両端部のうち、少なくとも一方の端部が開放自在に構成されている。具体的には、例えば、共通流路形成部材２１ｅの右側の端部にはフランジ部ｅ４が設けられ、当該フランジ部ｅ４にガラス板（透明部材）ｅ５を挟んで略円環状の蓋部材ｅ６が着脱自在に取り付けられている。
ガラス板ｅ５は、共通流路Ｐｃの開口に対応する位置に設けられており、当該共通流路Ｐｃ内を透過して視認可能となっている。
また、フランジ部ｅ４と蓋部材ｅ６は、例えば、ボルト等で締結されるが、一例であってこれに限られるものではなく、適宜任意に変更可能である。
【００３２】
四本の柱部材ａ２、…は、それぞれ二本の第一梁部材ａ１、ａ１の左右方向の両端部側に連結されている。また、四本の柱部材ａ２、…の各々は、上下方向に起立して形成され、各柱部材ａ２の上端が第一梁部材ａ１の下端面に連結されている。
また、四本の柱部材ａ２、…のうち、左右両側の二つの柱部材ａ２、ａ２の下端どうしに略水平な板部材ａ５がそれぞれ架け渡されている。
【００３３】
長尺部材ａ３は、左右方向に沿って延在する長尺な部材であり、左右方向の両端部の後側の２本の柱部材ａ２に取り付けられ、後側の第一梁部材ａ１の略直下に配設されている。また、長尺部材ａ３の上部には、回路基板２１ｄを保持する基板保持部ａ６が配設されている。
【００３４】
基板保持部ａ６は、回路基板２１ｄの数に応じた所定数（例えば、８）が左右方向に並設されている。また、基板保持部ａ６は、例えば、平板状の部材であり、後側の広面部に回路基板２１ｄがネジ止めされている。また、基板保持部ａ６は、その左右方向の両端部がそれぞれ二つの取付部材ａ７、ａ７に着脱自在に取り付けられている。
取付部材ａ７は、上下方向に起立した柱状の部材であり、第一梁部材ａ１と長尺部材ａ３とに架け渡されている。また、取付部材ａ７の基板保持部ａ６側となる内側部分には、基板保持部ａ６の端部が差し込まれる溝状のガイド（図示略）が上下方向に沿って形成されている。なお、本実施形態では、左右方向に隣合う二つの基板保持部ａ６、ａ６の隣接する各端部が一の取付部材ａ７に取り付けられるようになっているため、二つの基板保持部ａ６、ａ６に対して三つの取付部材ａ７、…が設けられている。
そして、基板保持部ａ６に保持された回路基板２１ｄの交換等の際には、取付部材ａ７のガイドに沿って基板保持部ａ６が上下方向に挿脱されるようになっている。
【００３５】
なお、本実施形態では、一の回路基板２１ｄには、四つのインクジェットヘッド２１ｂ、…に対応する駆動回路が設けられているが、一例であってこれに限られるものではなく、一の回路基板２１ｄに設けられる駆動回路の数は適宜任意に変更可能である。例えば、一の回路基板２１ｄを各インクジェットヘッド２１ｂ毎に設けても良いし、また、四つ以外の複数のインクジェットヘッド２１ｂ、…毎に設けても良い。
【００３６】
二つの起立壁部材ａ４、ａ４は、柱部材ａ２の下部であって左右方向の両端部側に板部材ａ５を介して連結されている。具体的には、二つの起立壁部材ａ４、ａ４の上部には、略水平な板状の連結用部材（図示略）がそれぞれ設けられ、当該連結用部材と板部材ａ５とが連結されている。
また、二つの起立壁部材ａ４、ａ４は、例えば、略矩形の平板状の部材であり、左右方向に互いに向き合うように配設されている。
また、二つの起立壁部材ａ４、ａ４の下端部には、複数のインクジェットヘッド２１ｂ、…を支持する支持部材２１ｃが取付けられている。
また、長尺部材ａ３は左右方向両端の後側の柱部材ａ２に取り付けられ左右方向に延在している。
【００３７】
このように、長尺部材ａ３に対して、上側に回路基板２１ｄを保持する基板保持部ａ６が設けられ、長尺部材ａ３が取り付けられた柱部材ａ２の下側に複数のインクジェットヘッド２１ｂ、…を支持する支持部材２１ｃが設けられている。すなわち、回路基板２１ｄは、支持部材２１ｃにより支持されるインクジェットヘッド２１ｂよりも上方に設けられている。
【００３８】
なお、図示は省略するが、板部材ａ５と連結される何れか一方の連結用部材には、対応する板部材ａ５の軸穴と嵌合するピンが設けられている。そして、複数のインクジェットヘッド２１ｂ、…を支持する支持部材２１ｃが取り付けられた二つの起立壁部材ａ４、ａ４は、連結用部材のピンを軸心として水平方向に回動自在に構成されている。
これにより、搬送装置１０による記録媒体の搬送方向に対する複数のインクジェットヘッド２１ｂ、…の相対的な水平方向の角度を調節可能となっている。
【００３９】
図４に示すように、支持部材２１ｃは、例えば、略水平に形成された主支持部ｃ１と、この主支持部ｃ１の上面に設けられ、上下方向に起立して形成された補強部ｃ２とを具備している。
また、支持部材２１ｃは、例えば、アルミ製の部材であるが、一例であってこれに限られるものではなく、当該支持部材２１ｃの素材は適宜任意に変更可能である。
【００４０】
主支持部ｃ１は、左右方向に沿って延在するように長尺に形成され、平面視略矩形の平板状をなしている。また、主支持部ｃ１は、その左右方向の両端部がそれぞれ対応する起立壁部材ａ４と連結されている。
補強部ｃ２は、前後方向に所定の厚さを有する平板状をなし、主支持部ｃ１に対して略直交するように配設されている。また、補強部ｃ２は、主支持部ｃ１と同様に、左右方向に沿って主支持部ｃ１と略等しい長さに形成されている。
【００４１】
また、主支持部ｃ１の上面には、その長手方向に沿って複数のインクジェットヘッド２１ｂ、…が所定配置（例えば、千鳥状）に並んで設けられている。具体的には、複数のインクジェットヘッド２１ｂ、…は、補強部ｃ２を前後方向に挟むように当該支持部材２１ｃの長手方向に沿って二列並設されている。
そして、図４に示すように、複数のインクジェットヘッド２１ｂ、…よりも上方には、複数のインクジェットヘッド２１ｂ、…からなる二つの列のうち、何れか一方の列側（例えば、前側）に共通流路形成部材２１ｅが配設され、他方の列側（例えば、後側）に回路基板２１ｄが配設されている。
【００４２】
なお、図示は省略するが、主支持部ｃ１には、各インクジェットヘッド２１ｂに対応する開口部が設けられ、当該開口部を介してインクジェットヘッド２１ｂのノズルが記録媒体側に露出されるようになっている。
【００４３】
各インクジェットヘッド２１ｂは、その上部に供給用配管２１ｆ及びインク室（図示略）と連通されるインレット（連通部）ｂ１が設けられている。すなわち、共通流路形成部材２１ｅの共通流路Ｐｃから分岐流路形成部ｅ１の分岐流路及び供給用配管２１ｆを経て供給されるインクは、インレットｂ１を介して当該インクジェットヘッド２１ｂのインク室（図示略）に流入する。
なお、本実施形態では、二股に分岐した供給用配管２１ｆに対応させて二つのインレットｂ１が設けられているが、一例であってこれに限られるものではなく、適宜任意に変更可能である。
【００４４】
また、各インクジェットヘッド２１ｂは、その上部にインク室（図示略）及び排出用配管２１ｇと連通されるアウトレット（連通部）ｂ２が設けられている。すなわち、インクジェットヘッド２１ｂのインク室内のインクは、アウトレットｂ２を介して排出用配管２１ｇを通って流出する。
なお、インクジェットヘッド２１ｂから流出されるインクは、例えば、排出用配管２１ｇと連通された廃液タンクやインクを循環させる機構（何れも図示略）に流入する。
【００４５】
また、各インクジェットヘッド２１ｂは、その下部にインク（液体）を吐出する複数のノズル（図示略）が設けられ、これら複数のノズルから搬送ベルト１２上を搬送される記録媒体に対してインクを吐出する。
また、図示は省略するが、インクジェットヘッド２１ｂには、回路基板２１ｄと電気的に接続するための端子が設けられ、当該端子を介して接続された回路基板２１ｄからの信号に応じて当該インクジェットヘッド２１ｂが駆動してインクの吐出動作を行う。
なお、インクジェットヘッド２１ｂは、上記した以外の点で、インクジェット方式によりインクを吐出する一般的なヘッドであり、その詳細な説明は省略する。
【００４６】
以上のように、本実施形態のインクジェット記録装置１００によれば、共通流路Ｐｃの上下方向の略中央部に、複数のインクジェットヘッド２１ｂ、…の各々にインクを供給するための複数の分岐流路Ｐ１、…が連通されているので、共通流路Ｐｃ内に気泡や沈殿物が存していても、分岐流路Ｐ１に気泡や沈殿が進入し難くなる。すなわち、共通流路Ｐｃ内に存する気泡は、その浮力により当該共通流路Ｐｃの上面側に集まった状態となる。また、共通流路Ｐｃ内でインクの流動が行われずに沈殿が生じても当該共通流路Ｐｃの下面に堆積した状態となる。複数の分岐流路形成部ｅ１、…は、共通流路形成部材２１ｅの上下方向の略中央部に設けられているので、分岐流路Ｐ１に気泡や沈殿が進入し難くなっている。
また、共通流路Ｐｃにおける複数の分岐流路Ｐ１、…の全てよりも一端側（例えば、左側）、且つ、複数の分岐流路Ｐ１、…よりも下側に、当該共通流路Ｐｃにインクを流入するインク流入路Ｐ２が連通され、共通流路Ｐｃにおける複数の分岐流路Ｐ１、…の全てよりも他端側（例えば、右側）、且つ、複数の分岐流路Ｐ１、…よりも上側に、当該共通流路Ｐｃ内のインクを流出するインク流出路Ｐ３が連通されているので、インク流入路Ｐ２とインク流出路Ｐ３との間隔をより大きくすることができ、共通流路Ｐｃ内でのインクの流動性を向上させることができる。これにより、共通流路Ｐｃ内で主としてインクの流れ方向下流側となる端部側であって、複数の分岐流路Ｐ１、…よりも上側に配設されているインク流出路Ｐ３から当該共通流路Ｐｃ内の気泡を排出し易くすることができるとともに、共通流路Ｐｃ内で沈殿物を生じさせ難くすることができる。
したがって、共通流路Ｐｃ内でのインクの流動性を向上させて、気泡や沈殿物がインクジェットヘッド２１ｂに進入し難くすることができる。
【００４７】
また、共通流路Ｐｃの延在方向に直交する断面は、略円形となっているので、共通流路Ｐｃ内でのインクの単位面積当たりの接触面積を小さくすることができ、従来に比してより多い数のインクジェットヘッド２１ｂにインクを分配するための共通流路Ｐｃであっても、当該共通流路Ｐｃ内を流れるインクの流路抵抗による圧力損失を軽減することができる。これにより、共通流路Ｐｃ内でのインクの流動性をより向上させることができ、当該共通流路Ｐｃ内に存する気泡をインク流出路Ｐ３からより排出し易くすることができる。また、共通流路Ｐｃの延在方向に直交する断面を多角形とした場合のように角部に気泡が溜まりやすくなってしまうといった弊害を防止することができる。
【００４８】
また、共通流路形成部材２１ｅの延在方向の両端部のうち、少なくとも一方の端部が開放自在に構成されているので、共通流路Ｐｃ内に混入した異物やインクジェット記録装置１００が長期間停止したために生じた沈殿物の清掃等をより簡便に行うことができる。
さらに、共通流路形成部材２１ｅの開放自在な端部は、共通流路Ｐｃの開口に対応する位置にガラス板ｅ５が設けられているので、このガラス板ｅ５を透過して共通流路Ｐｃ内を視認することができ、当該共通流路Ｐｃ内の状態の把握をより簡便に行うことができる。
【００４９】
さらに、複数の分岐流路Ｐ１、…は、共通流路Ｐｃの延在方向に沿って並設されている。特に、複数の分岐流路Ｐ１、…は、共通流路Ｐｃの上下方向の略中央部、且つ、当該共通流路Ｐｃの延在方向に直交する方向の一側（例えば、後側）に並設されているので、共通流路Ｐｃ及びインクジェットヘッド２１ｂと連通される供給用配管２１ｆが引き回される位置の最適化を図ることができ、当該供給用配管２１ｆの繋ぎ替え等をより効率的に行うことができる。
【００５０】
なお、本発明は、上記実施形態に限定されることなく、本発明の趣旨を逸脱しない範囲において、種々の改良並びに設計の変更を行っても良い。
例えば、上記実施形態にあっては、共通流路形成部材２１ｅを概略円筒形状、共通流路形成部材２１ｅの延在方向に直交する断面の外形を略円形状とするようにしたが、一例であってこれに限られるものではなく、必ずしも共通流路形成部材２１ｅの外形を略円形状とする必要はない。
【００５１】
また、上記実施形態にあっては、複数の分岐流路Ｐ１、…として、共通流路Ｐｃの上下方向の略中央部、且つ、当該共通流路Ｐｃの延在方向に直交する方向の一側（例えば、後側）に、当該共通流路Ｐｃの延在方向に沿って並設された構造を例示したが、一例であってこれに限られるものではなく、複数の分岐流路Ｐ１、…の配置は適宜任意に変更可能である。例えば、複数の分岐流路Ｐ１、…は、共通流路Ｐｃの延在方向に直交する方向の両側に、当該共通流路Ｐｃの延在方向に沿って交互に配設されていても良い。
【００５２】
さらに、その他、具体的な細部構造等についても適宜に変更可能であることは勿論である。
【００５３】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００５４】
１００  インクジェット記録装置
２０    ラインヘッド
２１    ヘッドユニット
２１ｂ  インクジェットヘッド
２１ｅ  共通流路形成部材
ｅ１    分岐流路形成部
ｅ２    流入路形成部
ｅ３    流出路形成部
ｅ５    ガラス板（透明部材）
Ｐｃ    共通流路
Ｐ１    分岐流路
Ｐ２    インク流入路
Ｐ３    インク流出路
【図１】
0006323196.tif 000002
【図２】
0006323196.tif 000003
【図３】
0006323196.tif 000004
【図４】
0006323196.tif 000005
【図５】
0006323196.tif 000006